(57)【要約】      （修正有）【課題】商品を陳列棚に載置する際に、陳列棚のどの位置に置かれても、商品内容を効果的に表示することが可能で、吊下げ展示することも可能な商品展示用台紙を提供する。【解決手段】商品を収納した紙箱Ｐの背面Ｐ１に重合する基板１１を一枚の台紙１０にて形成する。紙箱Ｐの左右側面Ｐ２に重合する側板１２を台紙１０の左右側縁に延長する。紙箱Ｐの左右の隙間に挿入して紙箱Ｐに側板１２を側板１２の下端部に延長する。基板１１の上端部から表示板１４を延長形成する。該表示板１４に商品の情報を表示する。該表示板１４に係止孔１５を開穿する。側板１２に開口部１２Ａを形成し、紙箱Ｐの側面Ｐ２に表示された表示部２を確認できるように構成する。【選択図】図２
0003170911.tif 000002
【実用新案登録請求の範囲】
【請求項１】
一枚の台紙にて形成され、商品を収納した紙箱の背面に重合する基板と、該台紙の左右側縁から延長され紙箱の左右側面に重合する側板とを備え、紙箱の左右側面と底面とで形成される左右の隙間に挿入して紙箱に側板を固定せしめる係止片を側板の下端部に延長形成すると共に、基板の上端部に表示板を延長形成し、該表示板に商品の情報を表示すると共に、該表示板を係止せしめる係止孔を開穿したことを特徴とする商品展示用台紙。
【請求項２】
前記紙箱は、チューブ入りの商品を収納する横長の紙箱とし、前記係止片は、紙箱の長手両側面に形成された開封自在な開封片と紙箱の底面とで形成される左右の隙間に下から挿入するように形成した請求項１記載の商品展示用台紙。
【請求項３】
前記側板は、前記紙箱の側面に表示された表示部の位置にあわせて開口され、該表示部を確認せしめる開口部を備えた請求項１又は２記載の商品展示用台紙。
【考案の詳細な説明】
【技術分野】
【０００１】
本考案は、紙箱に収納された商品を展示販売する際に使用する商品展示用台紙に係り、特に、商品の個別の内容を効果的に表示することができる商品展示用台紙に関する。
【背景技術】
【０００２】
従来、商品を展示販売する台紙として、例えば特許文献１に記載されている商品陳列包装体に使用されている台紙や、特許文献２に記載されているブリスターパックの台紙などがある。これらの台紙は、いずれも商品を吊下げて展示する際に使用するものである。
【０００３】
すなわち、特許文献１は、台紙の前面に帯板を揺動自在に設け、この帯板に円筒状の熱収縮フィルムを係止し、熱収縮フィルム内に商品を挿入する。そして、ヒーター等の加熱でシュリンクパックした商品を台紙ごと吊下げ展示するものである。
【０００４】
一方、特許文献２は、台紙の表面に透明なプラスチックケースを備えたブリスターパックで、このプラスチックケースの内部に商品を収納して吊下げ展示するものである。
【先行技術文献】
【特許文献】
【０００５】
【特許文献１】特許第４１３９４７７号公報
【特許文献２】実用新案登録第３０５９５５８号公報
【考案の概要】
【考案が解決しようとする課題】
【０００６】
従来の台紙は、商品の内容を効果的に表示するために、透明なシュリンクパックやブリスターパック等で商品を包み、商品自体を展示販売するように構成されていた。そのため、これらシュリンクパックやブリスターパック等の包装に多くのコストや手間を要するものであった。
【０００７】
一方、紙箱に収納されている商品は、一般に陳列棚に載せて展示販売されている。この場合、最前列の商品は、収納箱が消費者から見える位置にあるが、後列の商品は前列の商品によって全く目立たない状態で展示販売されることになる。特に、塗り薬やクリームなどのチューブ入りの商品は、横長の紙箱に収納されて陳列棚に載置されていることが多い。ところが、陳列棚に横長の紙箱を載置すると、紙箱自体に高さがないので人目につきにくい状態になっていた。
【０００８】
また、店舗で使用される商品の陳列棚は、陳列される位置によって展示効果が異なることが知られている。そのため、各メーカーの商品が競い合って良い展示位置を確保しようとしている。したがって、陳列棚のどの位置に置かれても、商品内容を効果的に表示することができるものが望まれていた。
【０００９】
そこで本考案は上述の課題を解消すべく案出されたもので、商品を吊下げ展示する際に、シュリンクパックやブリスターパック等のように、包装に多くのコストや手間を要することなく展示することができ、しかも、陳列棚に載置する際に、陳列棚のどの位置に置かれても、商品内容を効果的に表示することが可能な商品展示用台紙の提供を目的とするものである。
【課題を解決するための手段】
【００１０】
上述の目的を達成すべく本考案における第１の手段は、一枚の台紙１０にて形成され、商品を収納した紙箱Ｐの背面Ｐ１に重合する基板１１と、
該台紙１０の左右側縁から延長され紙箱Ｐの左右側面Ｐ２に重合する側板１２と、
該側板１２の下端部から延長され紙箱Ｐの左右側面Ｐ２と底面Ｐ３とで形成される左右の隙間Ｓに挿入して紙箱Ｐに側板１２を固定せしめる係止片１３とを備え、
基板１１の上端部から表示板１４を延長形成し、
該表示板１４に商品の情報を表示すると共に、該表示板１４を係止せしめる係止孔１５を開穿したことにある。
【００１１】
第２の手段において、前記紙箱Ｐは、チューブ入りの商品を収納する横長の紙箱Ｐとし、前記係止片１３は、紙箱Ｐの長手両側面Ｐ２に形成された開封自在な開封片１と紙箱Ｐの底面Ｐ３とで形成される左右の隙間Ｓに下から挿入するように形成したものである。
【００１２】
第３の手段は、前記側板１２は、前記紙箱Ｐの側面Ｐ２に表示された表示部２の位置にあわせて開口され、該表示部２を確認せしめる開口部１２Ａを備えたものである。
【考案の効果】
【００１３】
本考案の請求項１によると、側板１２の下端部から延長され紙箱Ｐの左右の隙間Ｓに挿入して紙箱Ｐに側板１２を固定せしめる係止片１３を備え、基板１１の上端部から表示板１４を延長形成し、該表示板１４に商品の情報を表示したことにより、例えば陳列棚に商品を載置して展示する際に、紙箱Ｐに収納された商品の内容を人目のつき易い位置に表示することができる。この結果、陳列棚のどの位置に置かれても、商品内容を効果的に表示することが可能になった。
【００１４】
また、表示板１４に係止孔１５を開穿したことにより、表示板１４を介して紙箱Ｐを吊下げ展示することもできる。この場合、シュリンクパックやブリスターパック等のように、包装に多くのコストや手間を要することはない。しかも、通常の紙箱Ｐでも極めて簡単に展示することができるものである。
【００１５】
請求項２のように、紙箱Ｐは、チューブ入りの商品を収納する横長の紙箱Ｐとし、係止片１３は、紙箱Ｐの長手両側面Ｐ２に形成された開封自在な開封片１と紙箱Ｐの底面Ｐ３とで形成される左右の隙間Ｓに下から挿入するように形成したことで、例えば軟膏やクリームのような商品を収納している紙箱Ｐに最適なものになっている。しかも、このような横長の紙箱Ｐは、陳列棚に展示しても目立ちにくいものであったが、本考案により、効果的な展示が可能になっている。
【００１６】
請求項３のごとく、側板１２に、前記紙箱Ｐの側面Ｐ２に表示された表示部２をのぞき見るように開口部１２Ａを形成したことにより、本考案台紙を紙箱Ｐに装着したままでも側板１２に印された使用期限等の必要な情報を確認することができるものである。
【図面の簡単な説明】
【００１７】
【図１】本考案台紙の一実施例を示す正面図である。
【図２】本考案台紙の使用状態を示す分解斜視図である。
【図３】本考案台紙の使用状態を示す斜視図である。
【図４】本考案の係止片の挿入位置を示す要部断面図である。台紙本体の使用手順を示す背面図である。
【考案を実施するための形態】
【００１８】
本考案によると、商品を吊下げ展示する際に、シュリンクパックやブリスターパック等のように、包装に多くのコストや手間を要することなく展示することができ、しかも、陳列棚に載置する際に、陳列棚のどの位置に置かれても、商品内容を効果的に表示することが可能になるなどといった当所の目的を達成した。
【実施例】
【００１９】
以下、本考案の実施例を説明する。本考案の基本構成は、一枚の台紙１０にて形成されたもので、基板１１、側板１２、係止片１３、表示板１４の構成を備えたものである（図１参照）。
【００２０】
基板１１は、商品を収納した紙箱Ｐの背面Ｐ１に重合する部位で、この基板１１の左右に側板１２を延長し、基板１１の上部に表示板１４を延長形成する（図２参照）。図示例では、基板１１の下端部は、紙箱Ｐの底面Ｐ３よりも下方に突出しないように形成している（図４参照）。これは、紙箱Ｐを陳列棚に載置したときに、他の紙箱Ｐと紙箱Ｐの高さが変わらないようにするためである。また、図示していないが、基板１１の下端部を下方に延長して、紙箱Ｐの高さが異なるように構成することも可能である。
【００２１】
側板１２は、該台紙１０の左右側縁から延長され紙箱Ｐの左右側面Ｐ２に重合する部位である（図３参照）。そして、この側板１２にて紙箱Ｐの左右側面を挟着すると共に、この側板１２の下端部から係止片１３が延長形成されている。図示例では、この側板１２に開口部１２Ａを形成している。この開口部１２Ａは、紙箱Ｐの側面Ｐ２に表示された表示部２の位置にあわせて開口されている。したがって、側板１２が側面Ｐ２を挟着した状態でも、この開口部１２Ａから表示部２を確認することができるものである。
【００２２】
例えば、紙箱Ｐに医薬品等が収納されている場合は、使用期限や製造番号などの表示部２がこの側面Ｐ２に印刷されている（図２参照）。そのため、開口部１２Ａを介して使用期限等を確認することができるものである。図示の開口部１２Ａは、一方の側板１２に形成しているが、表示部２位置によっては、両方の側板１２に設けることも可能であり、また、基板１１に形成することも可能である（図示せず）。
【００２３】
係止片１３は、左右側面Ｐ２と底面Ｐ３とで形成される左右の隙間Ｓに挿入する部位で、紙箱Ｐに側板１２を固定せしめるものである（図２参照）。図示例では、チューブ入りの商品を収納する横長の紙箱Ｐに固定する状態を示している。そして、紙箱Ｐの長手両側面Ｐ２に形成された開封自在な開封片１と紙箱Ｐの底面Ｐ３とで形成される左右の隙間Ｓに下から挿入するように形成したものである（図４参照）。
【００２４】
表示板１４は、商品の情報を表示する部位である（図３参照）。この表示板１４に記載された情報が紙箱Ｐの上方に表示される。したがって、陳列棚のどのような位置に載置されていても、紙箱Ｐの内容を目立つ位置に表示できるものである。図示の表示板１４は矩形状を成しているが、表示板１４の形状は任意に変更することができる。また、この表示板１４に任意の装飾物等を装着することも可能である（図示せず）。さらに、表示板１４に表示する情報の一部を基板１１に印すことも可能である（図２参照）。
【００２５】
さらに、表示板１４には係止孔１５も開穿されている（図１参照）。この係止孔１５は、表示板１４を懸吊できるように形成したもので、この表示板１４と側板１２及び係止片１３を介して紙箱Ｐが懸吊されるものである（図３参照）。図示例の係止孔１５は１個の円形状に形成しているが、係止孔１５の数や位置、形状等は任意に変更することができる。
【産業上の利用可能性】
【００２６】
本考案は、主に横長の紙箱Ｐを対象に説明しているが、図示例に限らず、紙箱Ｐの形状やサイズは任意に変更することができるもので、本考案は、紙箱Ｐの形状等に合わせて構成するものである。したがって、本考案の各構成は図示例に限定されるものではなく、台紙１０、基板１１、側板１２、係止片１３、表示板１４等の形状や寸法等は、本考案の要旨を変更しない範囲で任意に変更することができる。
【符号の説明】
【００２７】
Ｐ  紙箱
Ｐ１  背面
Ｐ２  側面
Ｐ３  底面
１  開封片
２  表示部
１０  台紙
１１  基板
１２  側板
１３  係止片
１４  表示板
１５  係止孔
【図１】
0003170911.tif 000003
【図２】
0003170911.tif 000004
【図３】
0003170911.tif 000005
【図４】
0003170911.tif 000006